(57)【要約】【課題】従来のネックレスチェーンは、留め金具をうなじに位置するように装着した。しかし、人間の動きによってその留め金具が自身の重量と重力の作用によって徐々に胸元に移動していく問題があった。【解決手段】２つの錐台型移動抑制装置３、７を互いの面積の広い底面で向かい合わせ、その間を錐台型移動抑制装置３、７よりも細いチェーン６でつなげる。その錐台型移動抑制装置の両端に留め金具１、８の付いた通常のチェーンを連結したネックレスチェーン。【選択図】図１
2013000425.tif 000002
【特許請求の範囲】
【請求項１】
２つの錐台型移動抑制装置（３、７）を面積の広い底面（１０）同士を向かい合わせて短いチェーンで連結し、さらに、前記２つの錐台型移動抑制装置（３、７）の面積の狭い底面（９）に長いチェーンを連結してその先に留め金具（１、８）を接続してなるネックレスチェーン。
【請求項２】
錐台型移動抑制装置（３、７）が、円錐と四角錐、５角錐等の多角錐である請求項１に記載のネックレスチェーン。
【請求項３】
前記錐台型移動抑制装置（３、７）の間の短いチェーンにバチ環（５）を挿通することを特徴とした請求項１に記載のネックレスチェーン。
【請求項４】
取り外しが可能なように前記バチ環（５）の径が錐台型移動抑制装置（３、７）および留め金具（１、８）よりも大きいことを特徴とする請求項１に記載のネックレスチェーン。
【請求項５】
面積の広い底面（１０）がネックレス中心部（６）の短いチェーンより太い請求項１に記載のネックレスチェーン。
【発明の詳細な説明】
【技術分野】
【０００１】
本発明は、ペンダントトップと共に使用するネックレスチェーンの形状に関する。
【背景技術】
【０００２】
従来のネックレスチェーンは留め金具を背後に位置するように止めていた。
【先行技術文献】
【特許文献】
【０００３】
【特許文献１】実用新案登録第３０８４８４３号
【発明の概要】
【発明が解決しようとする課題】
【０００４】
従来のネックレスチェーンはペンダントトップをチェーンに通すだけの簡単な構造になっており、動くことにより徐々に留め金具が胸に移動し、その度に直す必要があった。
【０００５】
また、上記先行技術文献に記載された方法では、移動抑制装置が針金を曲げるだけの構造になっているため、デザインのバリエーションに制限がある。つまり、移動抑制装置自身のデザインを楽しむことが困難である。
【０００６】
さらに、上記先行技術文献に記載された方法では、移動抑制装置に使用される物質は金属であり細いため、金属の種類によっては力を加えることにより容易に形が変形してしまう欠点がある。
【０００７】
移動抑制装置等の胸元にとめてある重りとなる金属は留め金具よりも重ければ重いほど移動抑制装置が安定して胸元に来、結果的に留め金具がうなじから胸元に移動しない特徴があるが、上記先行技術文献では移動抑制装置の重量が軽いため、チェーンの移動を防ぐ信頼度が低い欠点もある。
【０００８】
さらに、上記先行技術文献に記載された方法では、移動抑制装置はU字型やコの字型になっており、チェーンの美しい輪からはみ出る形となる、つまりチェーンの複線上にU字型やコの字の移動抑制装置があるためにチェーンの美しい輪の形状が損なわれる。それに加えペンダントトップのバチ環の長さが加算されるため実際のチェーンの輪の形状損失は著しい。さらに、ペンダントトップをチェーンに近づけるデザインの場合、U字型やコの字型のバチ環が入り込む移動抑制装置の深さを浅くしなければならないため、人間の動作によってバチ環が移動抑制装置から外れる危険性が高まる。
【０００９】
本発明は、このような従来の問題を解決しようとするものであり、被服時、裸体時において、留め金具の移動を気にすることなく装着可能とすることを目的としたものである。
【課題を解決するための手段】
【００１０】
ペンダントトップバチ環に挿通するネックレスチェーンにおいて、該ネックレスチェーンのセンター部分に前記ペンダントトップの移動を阻止するためのペンダントトップ側が広く、その反対側が狭くなる錐台型移動抑制装置を前記ペンダントトップが位置する両サイドに取り付けることによって上記の目的を達成するものである。
【発明の効果】
【００１１】
上述したように本発明のネックレスチェーンはデザイン性に優れる。つまり錐台型移動抑制装置自身もデザインを楽しめる。
【００１２】
ペンダントトップバチ環を止める錐台型移動抑制装置２つの重量は留め金具の重量よりも重いため、その錐台型移動抑制装置が重力で下に引っ張られるため、錐台型移動抑制装置を取り付けたチェーンセンター部分が自然と胸元に集まる。さらに、錐台の形をした移動抑制装置を使用しているためバチ環がその底面に引っかかり、激しい動きでもずれは生じることがなく、万が一ずれたとしてもペンダントトップの重みと錐台の形のため、ペンダントトップはチェーン中心部に滑り込みむため、その結果留め金具がうなじから胸元に移動しない。
【００１３】
さらに、チェーン中心部途中に輪の形を崩さずペンダントトップバチ環を固定する仕掛けとなっているため、チェーンの美しい輪の形を崩すことが無く、ペンダントトップをチェーンに近づけたデザインのネックレスを作りたいときも容易に制作できる。さらに、錐台型移動抑制装置の両止め具は太く短いため力による変形に強い。
【００１４】
安価で加工ができ、チェーンに応じて錐台型移動抑制装置の大きさを自由にしても差し支えない。
【００１５】
以上のことから、従来困難であった留め金具をうなじ部分で固定することを可能とする。
【図面の簡単な説明】
【００１６】
【図１】全体の平面図
【図２】錐台型移動抑制装置周辺の拡大図
【図３】錐台型移動抑制装置斜視図
【図４】（ａ）は錐台型移動抑制装置の底面図（ｂ）は錐台型移動抑制装置の平面図
【発明を実施するための形態】
【００１７】
以下本発明にかかるチェーンの実施の形態を説明する。図１〜図４において、本発明はペンダントトップ４に繋がるバチ環５をチェーン中心部６に保持することによりペンダントトップ４およ錐台型移動抑制装置３、７が安定して胸元に集まり、結果的に留め金具１、８がずれず、留め金具１、８が胸に移動してくることを防ぐものである。さらに、錐台型移動抑制装置３、７と留め金具１，８はバチ環５の径より小さいためペンダントトップ４を取り外す事ができ、更にはネックレスの美しい輪を損なわないことが重要である。
【００１８】
本発明は留め金具１、８、チェーン２、錐台型移動抑制装置３、７、ペンダントトップ４、バチ環５、チェーン中心部６、錐台型移動抑制装置（面積の狭い底面）９、錐台型移動抑制装置（面積の広い底面）１０で構成される。
【００１９】
まず、図３にある同型の錐台型移動抑制装置３、７を二つ作成する。このとき面積の広い底面10の角を鋭角にする。面積の広い底面１０はチェーン２の太さより太くし、一本の短いチェーンであるチェーン中心部６でつなぐ。面積の狭い底面９の太さはチェーン２の太さと同じ大きさにする。デザインを損なわなくするため、チェーン２とチェーン中心部６は同じデザインのチェーンを使用するのが基本だが、チェーンのデザインによってはチェーン２とチェーン中心部６は他のデザインを使用しても機能的にはなんの問題も無い。最後に留め金具１、８のついたチェーン２を両方の面積の狭い底面９につなぎ、チェーンを完成させる。
【００２０】
これによる作用は次の通りである。先述した錐台型移動抑制装置３、７をネックレスに装着することにより、バチ環５が左右の錐台型移動抑制装置３、７の面積の広い底面１０にぶつかりペンダントトップ４が外れなくなる。さらに、錐台の形状のためペンダントトップ４がチェーン中心部６に滑り落ちやすくなり、バチ環５は常にチェーン中心部６に保持されることとなる。
【００２１】
さらに、図２にあるように錐台型移動抑制装置３、７の面積の広い底面１０がチェーン２より太く重いために、引力でチェーン中心部６に角度が出来、ペンダントトップ４およびバチ環５がチェーン中心部６に自然と集まる。
【００２２】
錐台型移動抑制装置３、７にぶつかりバチ環５が外れなくなる仕組みであるため、チェーン２の長さは自由である。また、錐台型移動抑制装置３、７の錐台形の形状が重要なため金属の種類は問わない。
【実施例】
【００２３】
図２にあるように錐台型移動抑制装置３、７をチェーン２に取り付け、バチ環５に該チェーンを通すことにより、錐台型移動抑制装置３、７にバチ環５がぶつかり、チェーン中心部６およびペンダントトップ４、バチ環５が胸元に安定して保持され、その結果留め金具１、８が胸元に移動するのを防ぐ。尚、図では錐台型移動抑制装置３、７の底面を略四角形としているが、これを円形、多角形、楕円形など様々なデザインを楽しめる。
【００２４】
錐台型移動抑制装置は針金やプレートの様に簡単に形状が変ることが無く、その部分の強度が増す。さらに、留め金１、８よりも重さが増すためペンダントトップを装着していない時でも重力で胸元にチェーン中心部が集まる効果がある上にその錐台型移動抑制装置は様々な形を作りデザインを楽しめる。さらに、美しいチェーンの輪からはみ出すことも無いため、その美しいチェーンの輪も崩すことが無く、留め金具のずれを防止できる事が重要。
【００２５】
錐台型移動抑制装置３、７は加工する余地があるため、サイズも変えれる事に加え、装置自身円錐、四角錐等バリエーションのあるデザインを楽しめ、宝石を埋め込むことが可能。
【００２６】
この錐台型移動抑制装置はネックレストップを完全固定するものではないため、ペンダントトップ４が動く余地があり、ペンダントトップに当たる光の反射を減らすことも無い。
【００２７】
バチ環５の径が錐台型移動抑制装置３、７および留め金具１、８よりも大きいことを特長とし、その効果によりペンダントトップ４を交換可能。例えばリングのようなペンダントトップでも錐台型移動抑制装置３、７に入り込むこととなり、チェーンの形が上記基本形であれば該ネックレスチェーンの金属の種類も選ばない。
【００２８】
被服時、裸体時でも留め金具１、８の移動を抑制するネックレスチェーン。
【産業上の利用可能性】
【００２９】
通常のネックレスチェーン２に２つの錐台型移動抑制装置３、７を取り付けることにより、ネックレスの留め金具１、８が胸に移動しなくなるため、どの素材のネックレスチェーンにも対応する。さらに該チェーンは独立のものであるので、ペンダントトップ４の交換も可能であり、例えばペンダントトップがリングの形であってもチェーン中心部６に落ち込むので問題は無い。
【符号の説明】
【００３０】
１留め金具
２チェーン
３錐台型移動抑制装置
４ペンダントトップ
５バチ環
６チェーン中心部
７錐台型移動抑制装置
８留め金具
９錐台型移動抑制装置（面積の狭い底面）
１０錐台型移動抑制装置（面積の広い底面）
【図１】
2013000425.tif 000003
【図２】
2013000425.tif 000004
【図３】
2013000425.tif 000005
【図４】
2013000425.tif 000006
【手続補正書】
【提出日】平成24年2月11日(2012.2.11)
【手続補正１】
【補正対象書類名】特許請求の範囲
【補正対象項目名】全文
【補正方法】変更
【補正の内容】
【特許請求の範囲】
【請求項１】
２つの錐台型移動抑制装置（３、７）を面積の広い底面（１０）同士を向かい合わせて短いチェーンで連結し、さらに、前記２つの錐台型移動抑制装置（３、７）の面積の狭い底面（９）に長いチェーンを連結してその先に留め金具（１、８）を接続してなるネックレスチェーン。
【請求項２】
前記錐台型移動抑制装置（３、７）が、円錐と、四角錐、五角錐等の多角錐である請求項１に記載のネックレスチェーン。
【請求項３】
前記錐台型移動抑制装置（３、７）の間の短いチェーンにバチ環（５）を挿通することを特徴とした請求項１に記載のネックレスチェーン。
【請求項４】
前記面積の広い底面（１０）がネックレス中心部（６）の短いチェーンより太い請求項１に記載のネックレスチェーン。